(57)【要約】      （修正有）【課題】金魚水槽の掃除や水替えを簡単にする補助容器を作る。【解決手段】二重化容器の１例である。二重化容器の取手を持ち設置できる。洗浄時は取手１を持ち上げ、飾り物を含めて水洗いすれば良い。１は、二重化容器の取手。２は、二重化容器の取手の側面取り付け部。３は、二重化容器の本体。４は、二重化容器の空洞部。【選択図】図１
0003135629.tif 000002
【実用新案登録請求の範囲】
【請求項１】
水槽サイズあるいは多少小型のプラスチック容器あるいはステンレス容器等で取手をつけた構造の２重化する容器。。
【請求項２】
容器の側面に丸あるいは四角の空洞あるいは模様をつけた水槽用の２重化する容器。
【請求項３】
容器の側面あるいは底面に排水栓をつけた水槽用の利用を２重化する容器。
【請求項４】
容器の側面あるいは底面に排水栓をつけたり、容器の側面に丸４角等の空洞部をつけた水槽用のプラスチックやステンレス等構成の容器で、取手をつけた構造の２重化する容器。
【考案の詳細な説明】
【技術分野】
【０００１】  本発明は、魚の水槽に関連するものである。
【背景技術】
【０００２】  金魚などの魚を水槽で飼育する時に、余分な金魚の餌がやがて水槽の底部に蓄積するなどの為に水槽内の水が毒性を持つようになる。プロはポンプで水を循環させ、フイルターなどで水を浄化しているが、装置が複雑で大型化する事が多い。
少数の金魚なら水をバイオ処理すると効果的で、それなりに長期間の水替えなし飼育が可能だし、各種の方法が考案され販売されている。
それでも時々の水処理や水替え作業は必要になる。
【考案の開示】
【考案が解決しようとする課題】
【０００３】  解決しようとする問題点は、水替えが大変手間な作業になるし、水を捨てると水槽内の有用菌もなくなり目的に反して金魚が衰弱する事もある。
好ましい水質の維持が素人には意外に難しいことである。
【課題を解決する為の手段】
【０００４】  上記目的の達成のために、本考案では水槽の２重化を行った。
２重化には各種の方法があるが、できれば手は汚したくないのだから、製品容器に取手を付けた浅い構造とした。
考案の２重化する容器を水槽内に入れ、その上にエアーポンプの吹き出口や飾り物などを乗せる。数日してから金魚は水槽内に残して容器を水槽から出し、容器を水洗いする。再び容器を水槽内にセットする。
本体水槽を洗う時は、容器内に金魚も回収して清掃してから元に戻すことで作業が完了する。
【考案の効果】
【０００５】  水槽内には活性炭などの石類や飾り物やエアーポンプなどがあるが、それらの付属品を同時に回収できるし、魚糞類をまとめて浄化する事ができた。毎日のように水替えの手間なく、魚糞の除去ができる。
軽量化でき、商品本体の洗浄も間単に水洗いできる。考案容器本体に金魚を水と共に一時保管できるので、水槽本体の洗浄も簡単にできるなどの改良効果が得られた。
【考案を実施するための最良の形態】
【０００６】  水槽には小型の製品もあれば大型の製品もあるので、その大小サイズに合わせた２重化容器が必要になる。容器全体を持ち上げられる構造が望ましい。各種の使い残り容器を活用出来るように、容器の中央部分は開放構造にする。そうすれば３重化の利用法にすることが出来る。
水槽の大きさに合わせて２重化容器の強度を確保する必要があるし、魚の大小に対する空洞のサイズも変えたほうが良いし、Ｈ形取手の方が強度的に良い。排水栓をつけると排水や蓄水ができる。
２重化容器を立体的なデザインとして構成する方法もある。
【実施例１】
【０００７】  図１は、本考案装置の１例である。簡易な立体図面であり、原理的な製品例を示している。容器の取手を持ち、水槽内に設置できる。
あらかじめ、エアーポンプの吹き出口や飾り物や水草を容器の中央にセットしてから、水槽内に設置しても良い。
循環ポンプやフイルターは状況に応じて設置すれば良い。
図面の空洞部３は、容器を水槽から取り出す際に排水を早くできるし、容器設置時に金魚の通り道として利用できる。
清掃時は取手１を持ち上げ、ポンプや飾り物を含めて水洗すればよく簡単に作業できる。清掃後は再設置すれば良い。
【産業上の利用の可能性】
【０００８】  金魚の水槽に限らず、熱帯魚などの水槽にも利用できる。
大量の魚を飼育する場合や大量の水槽を管理する場合に有効である。
循環ポンプを用いる大規模な水槽でも、時々の清掃が必要な場合もあるので利用できる場合がある。
亀などの小型の水性動物の飼育水槽にも応用できる。
容器を網構造として、その上に水受けを乗せる方法もある。
考案の容器を岩石などの水底風景を模した立体構成で製作する方法もあり、カラフルで楽しい水槽になる。エアーポンプの吹き出口を内蔵させれば設置が簡単になる。水洗いは同じように簡単に出来る。
排水栓を縦２段に設けると保水量を調整出来る。
【図面の簡単な説明】
【０００９】
【図１】  ２重化容器の立体図である。
【符号の説明】
【００１０】  １      ２重化容器の取手
２      容器の側面部
３      容器の空洞部
４      容器の底部
【図１】
0003135629.tif 000003
【手続補正書】
【提出日】平成18年11月12日(2006.11.12)
【手続補正１】
【補正対象書類名】実用新案登録請求の範囲
【補正対象項目名】全文
【補正方法】変更
【補正の内容】
【実用新案登録請求の範囲】
【請求項１】
水槽サイズあるいは多少小型のプラスチック容器やステンレス容器等で取手をつけた構造の水槽を二重化する容器。。
【請求項２】
容器の側面あるいは底面に排水栓をつけた水槽用の水槽を二重化する容器。
【請求項３】
容器の側面あるいは底面に排水栓をつけたり、容器の側面に丸４角等の空洞部をつけたプラスチックやステンレス等構成の容器で、取手をつけた構造の水槽を二重化する容器。
【請求項４】
容器の内部又は周囲等にＬＥＤやヒータあるいはエアー噴出口等を内蔵あるいは付属する水槽用の水槽を二重化容器。
【手続補正２】
【補正対象書類名】明細書
【補正対象項目名】全文
【補正方法】変更
【補正の内容】
【考案の詳細な説明】
【技術分野】
【０００１】  本発明は、魚の水槽に関連するものである。
【背景技術】
【０００２】  金魚などの魚を水槽で飼育する時に、余分な金魚の餌がやがて水槽の底部に蓄積するなどの為に水槽内の水が汚濁するようになる。ポンプで水を循環させ、フイルターなどで水を浄化している。
それでも時々の水処理や水替え作業は必要になる。
【考案の開示】
【考案が解決しようとする課題】
【０００３】  解決しようとする問題点は、水替えが大変手間な作業になるし、水を捨てると水槽内の有用菌もなくなり目的に反して金魚が衰弱する事もある。
好ましい水質の維持が意外に難しいことである。
【課題を解決する為の手段】
【０００４】  上記目的の達成のために、本考案では水槽の二重化を行った。
二重化には各種の方法があるが、できれば手は汚したくないのだから、製品容器に取手を付けた構造とした。
考案の二重化する容器を水槽内に入れ、その上にエアーポンプの噴出口や飾り物などを乗せる。数日してから金魚は水槽内に残して容器を水槽から出し、容器を水洗いする。再び容器を水槽内にセットする。
本体水槽を洗う時は、容器内に金魚も回収してタライ等に入れてから本体水槽を水洗いすれば良い。
【考案の効果】
【０００５】  水槽内には活性炭などの石類や飾り物やエアーポンプなどがあるが、それらの付属品を同時に回収できるし、水槽内を水洗いできた。
軽量化でき、考案容器本体に金魚を水等と共に一時保管できるので、水槽本体の洗浄も簡単にできるなどの改良効果が得られた。
【考案を実施するための最良の形態】
【０００６】  水槽には小型の製品もあれば大型の製品もあるので、その大小サイズに合わせた二重化容器が必要になる。容器全体を持ち上げられる構造が望ましい。１水槽に本二重化水槽を２列以上並べて設置しても良い。
水槽の大きさに合わせて二重化容器の強度を確保する必要があるし、魚の大小に対する空洞のサイズも変えたほうが良いし、Ｈ形取手の方が強度的に良い。排蓄水栓をつけると排水や蓄水ができる。
二重化容器を立体的なデザインとして構成する方法もあるし、ＬＥＤやヒータやエアー噴出機能等を内蔵あるいは付属しても良い。
【実施例１】
【０００７】  図１は、本考案装置の１例である。容器の取手を持ち設置できる。
あらかじめ、エアーポンプの吹き出口や飾り物や水草を容器の中央にセットしてから、水槽内に設置しても良い。
図面の空洞部３は、容器を水槽から取り出す際に排水を早くできるし、容器設置時に金魚の通り道としても利用でき、排蓄水栓でも良い。
洗浄時は取手１を持ち上げ、飾り物を含めて水洗すればよい。
【産業上の利用の可能性】
【０００８】  金魚の水槽に限らず、熱帯魚などの水槽にも利用できる。
亀等の小型の水性動物の飼育水槽にも応用できる。
容器を網構造として、その上に水受けを乗せる方法もある。
排蓄水栓を縦２段に設けると保水量を調整出来る。
【０００９】  容器を岩石などの水底風景を模した立体構成で製作する方法がある。
エアーポンプの吹き出口を内蔵させれば設置が簡易になる。
水槽壁内あるいは立体構造仕様の立体内に小型ＬＥＤ照明器具を内蔵すると、水槽照明の補助機能や装飾効果が出る。タイマーやヒータ内蔵などの高機能化も期待できる。簡易浄水機構を増設しても良い。
【００１０】  低価格品からの製作利用が可能であり、高機能化も出来る。
装飾品として営業用の利用も期待できる。
飼育水槽は電気製品なので、増設すれば各種の保安製品にできる。
【図面の簡単な説明】
【００１１】
【図１】  二重化容器の立体図である。
【符号の説明】
【００１２】  １      二重化容器の取手
２      容器の側面部
３      容器の空洞部だが排蓄水機能のある開閉栓でも良い。
４      容器の底部
【手続補正４】
【補正対象書類名】図面
【補正対象項目名】全図
【補正方法】変更
【補正の内容】
【図１】
0003135629.tif 000004
【手続補正書】
【提出日】平成19年2月23日(2007.2.23)
【手続補正１】
【補正対象書類名】実用新案登録請求の範囲
【補正対象項目名】全文
【補正方法】変更
【補正の内容】
【実用新案登録請求の範囲】
【請求項１】
水槽サイズのプラスチックなどの容器（その側面に丸や４角の空洞部（魚の通り道）を設けても良い。）で、取手をつけた構造を特徴とする水槽用の二重化容器。
【請求項２】
プラスチック系構造容器の底面内部に鉄板や磁石等の重量のある材料を内蔵又は外部に付属して製作され、水槽内に沈み設置できる事を特徴とする請求項１記載の水槽用の二重化容器。
【請求項３】
容器の内部、又は周囲にＬＥＤやヒーターやエアー噴出口あるいは浄水機構を内臓又は付属することを特徴とする請求項１記載の二重化容器。
【請求項４】
容器の側面に構成した丸や四角の空洞部に合わせた着脱できる排水栓を製作し、用途に応じて着脱できる構造にしたことを特徴とする請求項１記載の二重化容器。
【手続補正２】
【補正対象書類名】手続補正書
【補正対象項目名】手続補正３
【補正方法】削除
【補正の内容】
【手続補正４】
【補正対象書類名】明細書
【補正対象項目名】全文
【補正方法】変更
【補正の内容】
【考案の詳細な説明】
【技術分野】
【０００１】  本発明は、魚の水槽に関するものである。
【背景技術】
【０００２】  金魚などの魚を水槽で飼育する時に、余分な金魚の餌が水槽の底部に蓄積するなどのために水槽内の水が汚濁するようになる。ポンプで水を循環させて、フイルターなどで水を浄化する事が一般的に行われている。
それでも時々の水処理や水替え作業は必要になる。
【考案の開示】
【考案が解決しようとする課題】
【０００３】  解決しようとする課題は、水替えが大変手間な作業になるし、水を捨てると水槽内の有用菌もなくなり目的に反して金魚が衰弱することがある。
好ましい水質の維持が意外に難しい事である。
【課題を解決する為の手段】
【０００４】、
上記目的の達成のために、本考案では水槽の二重化を行った。
二重化には各種の方法があるが、水槽とは別に取手を取り付けた透明あるいはカラーのプラスチック容器を製作し、水槽内に飾り石等を重りとして単独あるいは２列３列に設置するのが容易である。
考案の二重化容器を水槽内に入れ、その上にエアーポンプの噴出口や飾り石や飾り物などを乗せる。適時に金魚は水槽内に残して考案の二重化容器を水槽から取手を持って出し、容器を水洗いする。
【考案の効果】
【０００５】  水槽内には活性炭などの石類や飾り物やエアーポンプなどがあるが、それら付属品を同時に回収できるし、水槽内も水洗いできた。
軽量化でき、考案の二重化容器内に金魚を水と共に一時保管できるので水槽本体の洗浄も簡単にできるなどの改良効果が得られた。
並列設置の場合は片方の二重化容器に金魚を誘導し、片方の二重化容器を水槽から取り出して水洗いする事が可能である。
従って初心者向けの簡易な二重化水槽が構成できる。
【考案を実施するための最良の形態】
【０００６】  水槽には小型の製品もあれば大型の製品があるので、その大小サイズに合わせた二重化容器が必要になるが、主に小型の水槽対応で十分と考えられる。
容器全体を持ち上げられる構造が良く、１水槽に本二重化水槽を２列以上並べて設置しても良い。二重化容器の強度を確保する必要があるし、魚の大小に合わせて空洞のサイズも変えられる構造が良い。
空洞部分がねじ込み式あるいは押し込み式で大小のサイズ調整できるのが良い。
Ｈ型取手の方が強度的に良い。取手は持ち手であり状況に応じて開けたり閉じたりできる方が良い。あるいはアーチ型の丸い取手でも差し支えない。空洞部分に排水時は開き、蓄水時は閉じられる機能を付加しても良い。取手と共に、容器の側面又は底面に製作段階で丸や４角等の空洞部を作成すれば、最も簡単な二重化容器ができる。かなり大きな丸や四角の窓の方が応用性が広い。
ステンレス容器や金属容器は重量があるので簡単に設置できるが、プラスチック容器は軽いので浮き上がる特性があるので、あらかじめ飾り石や飾り物を本二重化容器内にセットしてから水槽内に設置した方が良い。
あるいは水槽用の二重化容器なのだから、製作段階で鉄材や磁石などを底面あるいは４隅に防水構造で内臓させて必要な重量を確保しても良い。
あるいは二重化容器に飾り石やステンレス板を付属活用しても良い。
図面の空洞部４は、二重化容器を水槽から取り出す際に排水を素早くできるし、二重化容器の設置時に金魚の通り道としても利用できる。
本来は初心者向けの簡易品なので、大型水槽への適用はさらに実験研究すべきではないかと思はれる。
【実施例１】
【０００７】  図面は本考案の二重化容器の１例である。二重化容器の取手を持ち設置できる。
洗浄時は取手１を持ち上げ、飾り物を含めて水洗いすれば良い。
【産業上の利用の可能性】
【０００８】  金魚の水槽に限らず、亀や熱帯魚の水槽にも利用できる。
容器を網構造として、その上に水受けを乗せる方法もある。
空洞部は大小を変えたり、縦２段や横２列横３列で製作しても良い。
【０００９】  容器を岩石などの水底風景を模した立体構成で製作する方法がある。
エアーポンプの噴出口を内蔵させれば設置が簡易になる。
水槽壁内あるいは立体構造内に小型のＬＥＤ照明器具を内蔵すると、水槽照明の補助機能や装飾効果が期待できる。
タイマーやヒーターを内蔵あるいは増設できるようにしても良い。
水槽本体と二重化水槽間に簡易浄水フイルターを取り付けたり、簡易型のモータを利用した浄水機構を増設できるようにしても良い。
【００１０】  低価格品からの製作利用が可能であり、高機能化も可能である。
実際に利用が進めば、新しい応用方法が発見できるかも知れない。
【図面の簡単な説明】
【００１１】
【図１】  二重化容器の正面図である。
【図２】  二重化容器の側面図である。
【図３】  二重化容器の平面図である。
【図４】  二重化容器にＬＥＤ、簡易浄水器、エアー噴出口、内蔵鉄板を装備した場合の概念図である。
【図５】  二重化容器を２台並列で水槽内設置した場合の立対図である。
【符号の説明】
【００１２】  １    二重化容器の取手。
２    二重化容器の取手の側面取り付け部。
３    二重化容器の本体。
４    二重化容器の空洞部。
５    二重化容器を設置する金魚等の飼育水槽。
６    増設ＬＥＤ、又は増設浄水機構。
７    内蔵または増設する鉄板や石材。
８    エアー噴出口。
【手続補正５】
【補正対象書類名】図面
【補正対象項目名】全図
【補正方法】変更
【補正の内容】
【図１】
0003135629.tif 000005
【図２】
0003135629.tif 000006
【図３】
0003135629.tif 000007
【図４】
0003135629.tif 000008
【図５】
0003135629.tif 000009
【手続補正書】
【提出日】平成19年6月11日(2007.6.11)
【手続補正１】
【補正対象書類名】実用新案登録請求の範囲
【補正対象項目名】全文
【補正方法】変更
【補正の内容】
【実用新案登録請求の範囲】
【請求項１】
水槽サイズのプラスチックやアルミニウムやステンレスの容器で、水槽の水面上まで伸びる取手をつけた構造を特徴とする水槽用の底浅構造の補助水槽。
【請求項２】
容器の側面に丸や四角の空洞部を設け、その形状に合わせた着脱できる排水栓を製作し、用途に応じて着脱できる構造にしたことを特徴とする請求項１記載の水槽用の補助水槽。
【手続補正２】
【補正対象書類名】明細書
【補正対象項目名】全文
【補正方法】変更
【補正の内容】
【考案の詳細な説明】
【技術分野】
【０００１】  本発明は、魚の水槽に関するものである。
【背景技術】
【０００２】  金魚などの魚を水槽で飼育する時に、余分な金魚の餌が水槽の底部に蓄積するなどのために水槽内の水が汚濁するようになる。ポンプで水を循環させて、フイルターなどで水を浄化する事が一般的に行われている。
初めて金魚を飼う人は酸素ポンプだけで飼育するが、循環フイルター未使用の場合は水槽内がすぐ濁り始める傾向がある。
金魚は多少は濁り水でも飼育には差し支えなく成長できる。
【考案の開示】
【考案が解決しようとする課題】
【０００３】  解決しようとする課題は、水替えが大変手間な作業になるし、水を捨てると水槽内の有用菌もなくなり目的に反して金魚が衰弱することがある。
好ましい水質の維持が意外に難しい事である。
水槽は上部が少し大きく狭いので、全く同サイズの補助水槽は製作が困難である。
単なる箱では水中から取り出す時に手を水底まで伸ばす必要があるが、手が濡れるなどの為に作業が困難でゴム手袋を着用する手間が必要だった。
【課題を解決する為の手段】
【０００４】  上記目的の達成のために、本考案では水槽の二重化を行った。
二重化には各種の方法があるが、水槽とは別に取手を取り付けた透明あるいはカラーのプラスチック容器を製作し、水槽内に飾り石等を重りとして単独あるいは２列３列に設置するのが容易である。
考案の補助水槽を水槽内に入れ、その上にエアーポンプの噴出口や飾り石や飾り物などを乗せる。適時に金魚は水槽内に残して考案の補助水槽を水槽から取手を持って出し、補助水槽を水洗いする。
あるいは補助水槽の底部に防水した鉄板を固定あるいは内蔵すれば重量が増すので使用がスムーズになる。
補助水槽の外周にビニールホースを挟み込めば、ある程度は外周部の大小を可変出来るので本体水槽への出し入れが容易になる。
あるいは底辺にプラスチック羽根を広げるとか、底辺にゴムマットを敷き詰めると外周部の汚れの洗浄が可能になる。
汚れは底面に集中するので、高さ１寸程度あるいは平板並みの補助水槽でも十分に効果がある。化学的な吸着材も利用が容易になる。
中央ポール方式の取手ならデザイン性も良くなる。
魚は従来同様に網で他の容器に移し変えても良く、底浅容器でも効果がある。
【考案の効果】
【０００５】  水槽内には活性炭などの石類や飾り物やエアーポンプなどがあるが、それら付属品を同時に回収できるし、水槽内も水洗いできた。
軽量化でき、考案の補助水槽内に金魚を水と共に一時保管できるので水槽本体の洗浄も簡単にできるなどの改良効果が得られた。
並列設置の場合は片方の補助水槽に金魚を誘導し、片方の補助水槽を水槽から取り出して水洗いする事が可能である。
従って初心者向けの簡易な補助水槽が構成できる。
循環フイルターを利用すると水槽内の濁りの進行はゆるやかだが、それでも時間が経過すると細かな汚れが水槽の底面に蓄積する傾向がある。循環フイルターの性能も関係するが、家庭用品では限度があるように思はれる。
半年に一度の掃除でも、作業が簡単になる。種々の利用の仕方があるが、底面に吸着シートを敷いておくと交換するだけで再設置できる。底砂利の拡散を防止できる。
単なる底浅の取手付き容器でも効果があり、製作も容易である。
鉄板の固定あるいは飾り石や磁石を固定した補助水槽利用の場合は、すぐ水槽の底迄補助水槽が沈むので設置が簡単になった。
【考案を実施するための最良の形態】
【０００６】  水槽には小型の製品もあれば大型の製品があるので、その大小サイズに合わせた補助水槽が必要になるが、主に小型の水槽対応で十分と考えられる。
容器全体を持ち上げられる構造が良く、１水槽に本補助水槽を２列以上並べて設置しても良い。初期品は底浅補助水槽で十分役立つし、使いやすい。
用途により深底容器にする場合は、魚の通路を確保するために丸や四角の空洞部のある容器にするのが好ましい。空洞部の形状に合わせたねじ込み式あるいは押し込み式の止水栓があると役立つことがある。
あるいはアーチ型の丸や四角の取手でも差し支えない。空洞部分に排水時は開き、蓄水時は閉じられる機能を付加しても良い。大きな丸や四角の窓の方が応用性は広いが、水漏れ事故の原因になることがあるのでなくても良い。
蓄水栓や止水栓のない、単なる空洞あるいは窓のある容器でも良い。
取手は持ち手であり状況に応じて開けたり閉じたり出来ても良い。
ステンレス容器や金属容器は重量があるので簡単に設置できるが、プラスチック容器は軽いので浮き上がる特性があるので、あらかじめ飾り石や飾り物を本補助水槽内にセットしてから水槽内に設置した方が良い。
あるいは水槽用の補助水槽なのだから、製作段階で鉄材や磁石などを底面あるいは４隅に防水構造で内蔵又は固定して必要な重量を確保しても良い。
あるいは補助水槽に飾り石やステンレス板を付属活用しても良い。
本来は初心者向けの簡易品であり、安価でそれなりに効果は期待できる。
プロ用ではデザインや強度も大切になる。
【実施例１】
【０００７】  図面は本考案の補助水槽の１例である。補助水槽の取手を持ち設置できる。
洗浄時は取手１を持ち上げ、飾り物を含めて水洗いすれば良い。
同じ高さの容器にすると魚の通路が減るので外周部は底浅としている。
この部分は単なる底浅だが、底浅容器構造でも良い。
砂利置き場を残す程度にして、補助水槽全体を底浅構造としても良い。
２面は左右の寸法が不足するが、片側に寄せパッキンなどで代用しても良い。
図面では１面だが、２面３面４面を底浅構造の補助水槽にしても良い。
補助水槽の外周はゴムホースを巻くなどすると外形サイズが可変出来るので、本体水槽への出し入れが楽になる。
【産業上の利用の可能性】
【０００８】  金魚の水槽に限らず、亀や熱帯魚の水槽にも利用できる。
容器を網構造として、その上に水受けを乗せる方法もある。
横２列横３列で利用できるようにしても良い。
補助水槽の取手については図面では可動タイプだが、専用の固定方式でも良い。あらかじめアーム状のデザインにすると強度も大きくなる。
補助水槽の中央部から水面上までアーム状あるいは棒状の取手を伸ばしても良い。
【０００９】  容器を岩石などの水底風景を模した立体構成で製作する方法がある。
エアーポンプの噴出口を内蔵させれば設置が簡易になる。
水槽壁内あるいは立体構造内に小型のＬＥＤ照明器具を内蔵すると、水槽照明の補助機能や装飾効果が期待できる。
水槽本体と補助水槽間に簡易浄水フイルターを付属したり、簡易型のモータを利用した浄水機構を増設できるようにしても良い。
【００１０】  低価格品からの製作利用が可能であり、高機能化も可能である。
実際には単なる簡易製品で十分で、複雑な利用は必要性が少ないかも知れない。
【図面の簡単な説明】
【００１１】
【図１】  補助水槽の立体図である。
【図２】  補助水槽の正面図である。
【図３】  補助水槽の側面図である。
【図４】  補助水槽の平面図である。
【符号の説明】
【００１２】      １    補助水槽の取手。
２    補助水槽の取手の側面取り付け部。
３    補助水槽の本体。
４    補助水槽の空洞部で魚の通路になるが省略可能。
５    内蔵または増設する鉄板や石材あるいは砂利。
６    底浅部分。
７    底浅部分の底部。
【手続補正３】
【補正対象書類名】図面
【補正対象項目名】全図
【補正方法】変更
【補正の内容】
【図１】
0003135629.tif 000010
【図２】
0003135629.tif 000011
【図３】
0003135629.tif 000012
【図４】
0003135629.tif 000013